(57)【要約】【課題】無線通信システムのハンドオーバ手順において、ＲＲＣレイヤの処理を実行する装置の負担を低減すること。【解決手段】無線リソース制御（ＲＲＣ）レイヤより下位で媒体アクセス制御レイヤを含むレイヤの制御を実行する１つ以上の第１の装置と、１つ以上の第１の装置と接続され、１つ以上の第１の装置が制御を実行するレイヤより上位でＲＲＣレイヤを含むレイヤの制御を実行する第２の装置と、を含んだ基地局装置における、１つ以上の第１の装置のうちのいずれかである制御装置は、端末装置による測定対象のビームの情報を端末装置に対して通知し、端末装置と接続が確立されている間に、測定対象のビームに関する測定報告を端末装置から受信し、測定報告に基づいて、端末装置が接続すべきビームの切り替え先を選択し、そのビームの情報を端末装置へ通知する。これらの処理が第２の装置を介さずに実行される。【選択図】図６
2018056687.tif 000002
【特許請求の範囲】
【請求項１】
無線リソース制御（ＲＲＣ）レイヤより下位で媒体アクセス制御（ＭＡＣ）レイヤを含むレイヤの制御を実行する１つ以上の第１の装置と、前記１つ以上の第１の装置と接続され、前記１つ以上の第１の装置が制御を実行するレイヤより上位で前記ＲＲＣレイヤを含むレイヤの制御を実行する第２の装置と、を含んだ基地局装置における、前記１つ以上の第１の装置のうちのいずれかである制御装置であって、
制御手段と、少なくとも１つのビームを形成可能なアンテナを用いて端末装置との間で信号を送信または受信することができる通信手段と、を有し、
前記制御手段は、
前記通信手段に、前記端末装置による測定対象のビームの情報を当該端末装置に対して通知させ、
前記通信手段に、前記少なくとも１つのビームのうちの第１のビームによって前記端末装置と接続が確立されている間に、前記測定対象のビームに関する測定報告を前記端末装置から受信させ、
前記測定報告に基づいて、前記端末装置が接続すべきビームの前記第１のビームからの切り替え先である第２のビームを、前記測定対象のビームから選択し、
前記通信手段に、前記第２のビームの情報を前記端末装置へ通知させる、
ように制御を実行し、
前記測定対象のビームは、１つの前記第２の装置に接続されている前記１つ以上の第１の装置によって形成されるビームに含まれ、
前記制御手段は、少なくとも、前記測定報告の受信と、前記第２のビームの選択と、前記第２のビームの情報の通知と、に関する制御を、前記第２の装置を介さずに実行する、
ことを特徴とする制御装置。
【請求項２】
前記制御手段は、前記通信手段が前記端末装置から前記第１のビームに関する所定の報告を受信したことに応じて、前記通信手段に、前記測定対象のビームの情報を前記端末装置へと通知させる、
ことを特徴とする請求項１に記載の制御装置。
【請求項３】
無線リソース制御（ＲＲＣ）レイヤより下位で媒体アクセス制御（ＭＡＣ）レイヤを含むレイヤの制御を実行する１つ以上の第１の装置と、前記１つ以上の第１の装置と接続され、前記１つ以上の第１の装置が制御を実行するレイヤより上位で前記ＲＲＣレイヤを含むレイヤの制御を実行する第２の装置と、を含んだ基地局装置における、前記１つ以上の第１の装置のうちのいずれかである制御装置であって、
制御手段と、少なくとも１つのビームを形成可能なアンテナを用いて端末装置との間で信号を送信または受信することができる通信手段と、を有し、
前記制御手段は、
前記通信手段に、前記端末装置による測定対象のビームの情報を当該端末装置に対して通知させ、
前記通信手段に、前記少なくとも１つのビームのうちの第１のビームによって前記端末装置と接続が確立されている間に、当該端末装置が接続すべきビームの前記第１のビームからの切り替え先である第２のビームの前記端末装置による選択結果の通知を、前記端末装置から受信させ、
前記端末装置が接続するビームの前記第１のビームから前記第２のビームへの切り替えを承認するかを判定し、
前記通信手段に、前記判定の結果を前記端末装置へ通知させる、
ように制御を実行し、
前記測定対象のビームは、１つの前記第２の装置に接続されている前記１つ以上の第１の装置によって形成されるビームに含まれ、
前記制御手段は、少なくとも、前記選択結果の通知の受信と、前記第２のビームへの切り替えを承認するかの判定と、前記判定の結果の通知と、に関する制御を前記第２の装置を介さずに実行する、
ことを特徴とする制御装置。
【請求項４】
前記制御手段は、前記通信手段に、前記第２の装置による制御の下で送信されるブロードキャスト信号によって、前記測定対象のビームの情報を前記端末装置へと通知させる、
ことを特徴とする請求項１又は３に記載の制御装置。
【請求項５】
前記ブロードキャスト信号による前記測定対象のビームの情報の通知は、前記第１のビームによる前記端末装置との接続の確立の前に行われる、
ことを特徴とする請求項４に記載の制御装置。
【請求項６】
前記測定対象のビームは、前記制御装置によって形成されるビームに含まれる、
ことを特徴とする請求項１から５のいずれか１項に記載の制御装置。
【請求項７】
前記測定対象のビームは、前記１つ以上の第１の装置のうちの前記制御装置と異なる装置によって形成されるビームを含む、
ことを特徴とする請求項１から５のいずれか１項に記載の制御装置。
【請求項８】
無線リソース制御（ＲＲＣ）レイヤより下位で媒体アクセス制御（ＭＡＣ）レイヤを含むレイヤの制御を実行する１つ以上の第１の装置と、前記１つ以上の第１の装置と接続され、前記１つ以上の第１の装置が制御を実行するレイヤより上位で前記ＲＲＣレイヤを含むレイヤの制御を実行する第２の装置と、を含んだ基地局装置と接続する端末装置であって、
制御手段と、前記１つ以上の第１の装置が形成した少なくとも１つのビームのうちのいずれかを接続先として、前記１つ以上の第１の装置のうちのいずれかとの間で信号を送信または受信することができる通信手段と、を有し、
前記制御手段は、
前記通信手段に、前記端末装置による測定対象のビームの情報を前記１つ以上の第１の装置のうちのいずれかである制御装置から受信させ、
前記通信手段を介して、前記測定対象のビームのそれぞれを測定し、
前記通信手段に、前記少なくとも１つのビームのうちの第１のビームによって前記制御装置と接続が確立されている間に、前記測定対象のビームに関する測定報告を前記制御装置へ送信させ、
前記通信手段に、前記端末装置が接続すべきビームの前記第１のビームからの切り替え先である第２のビームの情報を、前記制御装置から受信させ、
前記通信手段に、接続先のビームを前記第２のビームに切り替えさせる、
ように制御を実行し、
前記測定対象のビームは、１つの前記第２の装置に接続されている前記１つ以上の第１の装置によって形成されるビームに含まれ、
前記制御装置は、前記測定報告に基づく前記端末装置が接続するビームの切り替えに関する制御を前記第２の装置を介さずに実行する、
ことを特徴とする端末装置。
【請求項９】
無線リソース制御（ＲＲＣ）レイヤより下位で媒体アクセス制御（ＭＡＣ）レイヤを含むレイヤの制御を実行する１つ以上の第１の装置と、前記１つ以上の第１の装置と接続され、前記１つ以上の第１の装置が制御を実行するレイヤより上位で前記ＲＲＣレイヤを含むレイヤの制御を実行する第２の装置と、を含んだ基地局装置と接続する端末装置であって、
制御手段と、前記１つ以上の第１の装置が形成した少なくとも１つのビームのうちのいずれかを接続先として、前記１つ以上の第１の装置のうちのいずれかとの間で信号を送信または受信することができる通信手段と、を有し、
前記制御手段は、
前記通信手段に、前記端末装置による測定対象のビームの情報を前記１つ以上の第１の装置のうちのいずれかである制御装置から受信させ、
前記通信手段を介して、前記測定対象のビームのそれぞれを測定し、
前記少なくとも１つのビームのうちの第１のビームによって前記制御装置と接続が確立されている間に、前記測定対象のビームに関する測定結果に基づいて、前記端末装置が接続すべきビームの前記第１のビームからの切り替え先である第２のビームを選択し、
前記通信手段に、前記選択の結果を前記制御装置へ通知させ、
前記通信手段に、前記選択の結果の通知を前記制御装置が承認したか否かを示す情報を受信させ、
前記通信手段に、前記選択の結果の通知を前記制御装置が承認した場合に、接続先のビームを前記第１のビームから前記第２のビームへと切り替えさせる、
ように制御を実行し、
前記測定対象のビームは、１つの前記第２の装置に接続されている前記１つ以上の第１の装置によって形成されるビームに含まれ、
前記制御装置は、前記選択の結果に基づく前記端末装置が接続するビームの切り替えに関する制御を前記第２の装置を介さずに実行する、
ことを特徴とする端末装置。
【請求項１０】
無線リソース制御（ＲＲＣ）レイヤより下位で媒体アクセス制御（ＭＡＣ）レイヤを含むレイヤの制御を実行する１つ以上の第１の装置と、前記１つ以上の第１の装置と接続され、前記１つ以上の第１の装置が制御を実行するレイヤより上位で前記ＲＲＣレイヤを含むレイヤの制御を実行する第２の装置と、を含んだ基地局装置と接続する端末装置であって、
制御手段と、前記１つ以上の第１の装置が形成した少なくとも１つのビームのうちのいずれかを接続先として、前記１つ以上の第１の装置のうちのいずれかとの間で信号を送信または受信することができる通信手段と、を有し、
前記制御手段は、
前記通信手段に、前記端末装置による測定対象のビームの情報を前記１つ以上の第１の装置のうちのいずれかである制御装置から受信させ、
前記通信手段を介して、前記測定対象のビームのそれぞれを測定し、
前記少なくとも１つのビームのうちの第１のビームによって前記制御装置と接続が確立されている間に、前記測定対象のビームに関する測定結果に基づいて、前記端末装置が接続すべきビームの前記第１のビームからの切り替え先である第２のビームを選択し、
前記通信手段に、前記制御装置の制御によらずに前記第２のビームに対する接続を確立させる、
ように制御を実行し、
前記測定対象のビームは、１つの前記第２の装置に接続されている前記１つ以上の第１の装置によって形成されるビームに含まれる、
ことを特徴とする端末装置。
【請求項１１】
前記制御手段は、前記第１のビームによる前記制御装置との接続の確立の前に、前記第２の装置の制御の下で前記制御装置から送信されたブロードキャスト信号により、前記測定対象のビームの情報を前記通信手段に受信させる、
ことを特徴とする請求項８から１０のいずれか1項に記載の端末装置。
【請求項１２】
前記制御手段は、前記通信手段が前記制御装置へ前記第１のビームに関する所定の報告を送信したことに応じて、前記測定対象のビームの情報を前記通信手段に受信させる、
ことを特徴とする請求項８に記載の端末装置。
【請求項１３】
無線リソース制御（ＲＲＣ）レイヤより下位で媒体アクセス制御（ＭＡＣ）レイヤを含むレイヤの制御を実行する１つ以上の第１の装置と、前記１つ以上の第１の装置と接続され、前記１つ以上の第１の装置が制御を実行するレイヤより上位で前記ＲＲＣレイヤを含むレイヤの制御を実行する第２の装置と、を含んだ基地局装置における、前記１つ以上の第１の装置のうちのいずれかである制御装置の制御方法であって、
前記制御装置は、少なくとも１つのビームを形成可能なアンテナを用いて端末装置との間で信号を送信または受信することができる通信手段を有し、
前記制御方法は、
前記通信手段に、前記端末装置による測定対象のビームの情報を当該端末装置に対して通知させることと、
前記通信手段に、前記少なくとも１つのビームのうちの第１のビームによって前記端末装置と接続が確立されている間に、前記測定対象のビームに関する測定報告を前記端末装置から受信させることと、
前記測定報告に基づいて、前記端末装置が接続すべきビームの前記第１のビームからの切り替え先である第２のビームを、前記測定対象のビームから選択することと、
前記通信手段に、前記第２のビームの情報を前記端末装置へ通知させることと、
を含み、
前記測定対象のビームは、１つの前記第２の装置に接続されている前記１つ以上の第１の装置によって形成されるビームに含まれ、
少なくとも、前記測定報告の受信と、前記第２のビームの選択と、前記第２のビームの情報の通知と、に関する制御が、前記第２の装置を介さずに実行される、
ことを特徴とする制御方法。
【請求項１４】
無線リソース制御（ＲＲＣ）レイヤより下位で媒体アクセス制御（ＭＡＣ）レイヤを含むレイヤの制御を実行する１つ以上の第１の装置と、前記１つ以上の第１の装置と接続され、前記１つ以上の第１の装置が制御を実行するレイヤより上位で前記ＲＲＣレイヤを含むレイヤの制御を実行する第２の装置と、を含んだ基地局装置における、前記１つ以上の第１の装置のうちのいずれかである制御装置の制御方法であって、
前記制御装置は、少なくとも１つのビームを形成可能なアンテナを用いて端末装置との間で信号を送信または受信することができる通信手段を有し、
前記制御方法は、
前記通信手段に、前記端末装置による測定対象のビームの情報を当該端末装置に対して通知させることと、
前記通信手段に、前記少なくとも１つのビームのうちの第１のビームによって前記端末装置と接続が確立されている間に、前記端末装置が接続すべきビームの前記第１のビームからの切り替え先である第２のビームの前記端末装置による選択結果の通知を、前記端末装置から受信させることと、
前記端末装置が接続するビームの前記第１のビームから前記第２のビームへの切り替えを承認するかを判定することと、
前記通信手段に、前記判定の結果を前記端末装置へ通知させることと、
を含み、
前記測定対象のビームは、１つの前記第２の装置に接続されている前記１つ以上の第１の装置によって形成されるビームに含まれ、
少なくとも、前記選択結果の通知の受信と、前記第２のビームへの切り替えを承認するかの判定と、前記判定の結果の通知と、に関する制御が、前記第２の装置を介さずに実行される、
ことを特徴とする制御方法。
【請求項１５】
無線リソース制御（ＲＲＣ）レイヤより下位で媒体アクセス制御（ＭＡＣ）レイヤを含むレイヤの制御を実行する１つ以上の第１の装置と、前記１つ以上の第１の装置と接続され、前記１つ以上の第１の装置が制御を実行するレイヤより上位で前記ＲＲＣレイヤを含むレイヤの制御を実行する第２の装置と、を含んだ基地局装置と接続する端末装置の制御方法であって、
前記端末装置は、前記１つ以上の第１の装置が形成した少なくとも１つのビームのうちのいずれかを接続先として、前記１つ以上の第１の装置のうちのいずれかとの間で信号を送信または受信することができる通信手段を有し、
前記制御方法は、
前記通信手段に、前記端末装置による測定対象のビームの情報を前記１つ以上の第１の装置のうちのいずれかである制御装置から受信させることと、
前記通信手段を介して、前記測定対象のビームのそれぞれを測定することと、
前記通信手段に、前記少なくとも１つのビームのうちの第１のビームによって前記制御装置と接続が確立されている間に、前記測定対象のビームに関する測定報告を前記制御装置へ送信させることと、
前記通信手段に、前記端末装置が接続すべきビームの前記第１のビームからの切り替え先である第２のビームの情報を、前記制御装置から受信させることと、
前記通信手段に、接続先のビームを前記第２のビームに切り替えさせることと、
を含み、
前記測定対象のビームは、１つの前記第２の装置に接続されている前記１つ以上の第１の装置によって形成されるビームに含まれ、
前記制御装置は、前記測定報告に基づく前記端末装置が接続するビームの切り替えに関する制御を前記第２の装置を介さずに実行する、
ことを特徴とする制御方法。
【請求項１６】
無線リソース制御（ＲＲＣ）レイヤより下位で媒体アクセス制御（ＭＡＣ）レイヤを含むレイヤの制御を実行する１つ以上の第１の装置と、前記１つ以上の第１の装置と接続され、前記１つ以上の第１の装置が制御を実行するレイヤより上位で前記ＲＲＣレイヤを含むレイヤの制御を実行する第２の装置と、を含んだ基地局装置と接続する端末装置の制御方法であって、
前記端末装置は、前記１つ以上の第１の装置が形成した少なくとも１つのビームのうちのいずれかを接続先として、前記１つ以上の第１の装置のうちのいずれかとの間で信号を送信または受信することができる通信手段を有し、
前記制御方法は、
前記通信手段に、前記１つ以上の第１の装置のうちのいずれかである制御装置による測定対象のビームの情報を前記制御装置から受信させることと、
前記通信手段を介して、前記測定対象のビームのそれぞれを測定することと、
前記少なくとも１つのビームのうちの第１のビームによって前記端末装置と接続が確立されている間に、前記測定対象のビームに関する測定結果に基づいて、前記端末装置が接続すべきビームの前記第１のビームからの切り替え先である第２のビームを選択することと、
前記通信手段に、前記選択の結果を前記制御装置へ通知させることと、
前記通信手段に、前記選択の結果の通知を前記制御装置が承認したか否かを示す情報を受信させることと、
前記通信手段に、前記選択の結果の通知を前記制御装置が承認した場合に、接続先のビームを前記第１のビームから前記第２のビームへと切り替えさせることと、
を含み、
前記測定対象のビームは、１つの前記第２の装置に接続されている前記１つ以上の第１の装置によって形成されるビームに含まれ、
前記制御装置は、前記選択の結果に基づく前記端末装置が接続するビームの切り替えに関する制御を前記第２の装置を介さずに実行する、
ことを特徴とする制御方法。
【請求項１７】
無線リソース制御（ＲＲＣ）レイヤより下位で媒体アクセス制御（ＭＡＣ）レイヤを含むレイヤの制御を実行する１つ以上の第１の装置と、前記１つ以上の第１の装置と接続され、前記１つ以上の第１の装置が制御を実行するレイヤより上位で前記ＲＲＣレイヤを含むレイヤの制御を実行する第２の装置と、を含んだ基地局装置と接続する端末装置の制御方法であって、
前記端末装置は、前記１つ以上の第１の装置が形成した少なくとも１つのビームのうちのいずれかを接続先として、前記１つ以上の第１の装置のうちのいずれかとの間で信号を送信または受信することができる通信手段を有し、
前記制御方法は、
前記通信手段に、前記１つ以上の第１の装置のうちのいずれかである制御装置による測定対象のビームの情報を前記制御装置から受信させることと、
前記通信手段を介して、前記測定対象のビームのそれぞれを測定することと、
前記少なくとも１つのビームのうちの第１のビームによって前記端末装置と接続が確立されている間に、前記測定対象のビームに関する測定結果に基づいて、前記端末装置が接続すべきビームの前記第１のビームからの切り替え先である第２のビームを選択することと、
前記通信手段に、前記制御装置の制御によらずに前記第２のビームに対する接続を確立させることと、
を含み、
前記測定対象のビームは、１つの前記第２の装置に接続されている前記１つ以上の第１の装置によって形成されるビームに含まれる、
ことを特徴とする制御方法。
【請求項１８】
無線リソース制御（ＲＲＣ）レイヤより下位で媒体アクセス制御（ＭＡＣ）レイヤを含むレイヤの制御を実行する１つ以上の第１の装置と、前記１つ以上の第１の装置と接続され、前記１つ以上の第１の装置が制御を実行するレイヤより上位で前記ＲＲＣレイヤを含むレイヤの制御を実行する第２の装置と、を含んだ基地局装置における、前記１つ以上の第１の装置のうちのいずれかである制御装置であって、少なくとも１つのビームを形成可能なアンテナを用いて端末装置との間で信号を送信または受信することができる通信手段とコンピュータとを有する前記制御装置において、
前記コンピュータに、
前記端末装置による測定対象のビームの情報を当該端末装置に対して通知するように前記通信手段を制御させ、
前記少なくとも１つのビームのうちの第１のビームによって前記端末装置と接続が確立されている間に、前記測定対象のビームに関する測定報告を前記端末装置から受信するように前記通信手段を制御させ、
前記測定報告に基づいて、前記端末装置が接続すべきビームの前記第１のビームからの切り替え先である第２のビームを、前記測定対象のビームから選択させ、
前記第２のビームの情報を前記端末装置へ通知するように前記通信手段を制御させる、
ためのプログラムであって
前記測定対象のビームは、１つの前記第２の装置に接続されている前記１つ以上の第１の装置によって形成されるビームに含まれ、
少なくとも、前記測定報告の受信と、前記第２のビームの選択と、前記第２のビームの情報の通知と、に関する制御が、前記第２の装置を介さずに実行される、
ことを特徴とするプログラム。
【請求項１９】
無線リソース制御（ＲＲＣ）レイヤより下位で媒体アクセス制御（ＭＡＣ）レイヤを含むレイヤの制御を実行する１つ以上の第１の装置と、前記１つ以上の第１の装置と接続され、前記１つ以上の第１の装置が制御を実行するレイヤより上位で前記ＲＲＣレイヤを含むレイヤの制御を実行する第２の装置と、を含んだ基地局装置における、前記１つ以上の第１の装置のうちのいずれかである制御装置であって、少なくとも１つのビームを形成可能なアンテナを用いて端末装置との間で信号を送信または受信することができる通信手段とコンピュータとを有する前記制御装置において、
前記コンピュータに、
前記端末装置による測定対象のビームの情報を当該端末装置に対して通知するように前記通信手段を制御させ、
前記少なくとも１つのビームのうちの第１のビームによって前記端末装置と接続が確立されている間に、前記端末装置が接続すべきビームの前記第１のビームからの切り替え先である第２のビームの前記端末装置による選択結果の通知を、前記端末装置から受信するように前記通信手段を制御させ、
前記端末装置が接続するビームの前記第１のビームから前記第２のビームへの切り替えを承認するかを判定させ、
前記判定の結果を前記端末装置へ通知するように前記通信手段を制御させる、
ためのプログラムであって
前記測定対象のビームは、１つの前記第２の装置に接続されている前記１つ以上の第１の装置によって形成されるビームに含まれ、
少なくとも、前記選択結果の通知の受信と、前記第２のビームへの切り替えを承認するかの判定と、前記判定の結果の通知と、に関する制御が、前記第２の装置を介さずに実行される、
ことを特徴とするプログラム。
【請求項２０】
無線リソース制御（ＲＲＣ）レイヤより下位で媒体アクセス制御（ＭＡＣ）レイヤを含むレイヤの制御を実行する１つ以上の第１の装置と、前記１つ以上の第１の装置と接続され、前記１つ以上の第１の装置が制御を実行するレイヤより上位で前記ＲＲＣレイヤを含むレイヤの制御を実行する第２の装置と、を含んだ基地局装置と接続する端末装置であって、前記１つ以上の第１の装置が形成した少なくとも１つのビームのうちのいずれかを接続先として、前記１つ以上の第１の装置のうちのいずれかとの間で信号を送信または受信することができる通信手段とコンピュータとを有する前記端末装置において、
前記コンピュータに、
前記端末装置による測定対象のビームの情報を前記１つ以上の第１の装置のうちのいずれかである制御装置から受信するように前記通信手段を制御させ、
前記通信手段を介して、前記測定対象のビームのそれぞれを測定させ、
前記少なくとも１つのビームのうちの第１のビームによって前記制御装置と接続が確立されている間に、前記測定対象のビームに関する測定報告を前記制御装置へ送信するように前記通信手段を制御させ、
前記端末装置が接続すべきビームの前記第１のビームからの切り替え先である第２のビームの情報を、前記制御装置から受信するように前記通信手段を制御させ、
接続先のビームを前記第２のビームに切り替えるように前記通信手段を制御させる、
ためのプログラムであって、
前記測定対象のビームは、１つの前記第２の装置に接続されている前記１つ以上の第１の装置によって形成されるビームに含まれ、
前記制御装置は、前記測定報告に基づく前記端末装置が接続するビームの切り替えに関する制御を前記第２の装置を介さずに実行する、
ことを特徴とするプログラム。
【請求項２１】
無線リソース制御（ＲＲＣ）レイヤより下位で媒体アクセス制御（ＭＡＣ）レイヤを含むレイヤの制御を実行する１つ以上の第１の装置と、前記１つ以上の第１の装置と接続され、前記１つ以上の第１の装置が制御を実行するレイヤより上位で前記ＲＲＣレイヤを含むレイヤの制御を実行する第２の装置と、を含んだ基地局装置と接続する端末装置であって、前記１つ以上の第１の装置が形成した少なくとも１つのビームのうちのいずれかを接続先として、前記１つ以上の第１の装置のうちのいずれかとの間で信号を送信または受信することができる通信手段とコンピュータとを有する前記端末装置において、
前記コンピュータに、
前記１つ以上の第１の装置のうちのいずれかである制御装置から、前記端末装置による測定対象のビームの情報を受信するように前記通信手段を制御させ、
前記通信手段を介して、前記測定対象のビームのそれぞれを測定させ、
前記少なくとも１つのビームのうちの第１のビームによって前記制御装置と接続が確立されている間に、前記測定対象のビームに関する測定結果に基づいて、前記端末装置が接続すべきビームの前記第１のビームからの切り替え先である第２のビームを選択させ、
前記選択の結果を前記制御装置へ通知するように前記通信手段を制御させ、
前記選択の結果の通知を前記制御装置が承認したか否かを示す情報を受信するように前記通信手段を制御させ、
前記選択の結果の通知を前記制御装置が承認した場合に、接続先のビームを前記第１のビームから前記第２のビームへと切り替えるように前記通信手段を制御させる、
ためのプログラムであって、
前記測定対象のビームは、１つの前記第２の装置に接続されている前記１つ以上の第１の装置によって形成されるビームに含まれ、
前記制御装置は、前記選択の結果に基づく前記端末装置が接続するビームの切り替えに関する制御を前記第２の装置を介さずに実行する、
ことを特徴とするプログラム。
【請求項２２】
無線リソース制御（ＲＲＣ）レイヤより下位で媒体アクセス制御（ＭＡＣ）レイヤを含むレイヤの制御を実行する１つ以上の第１の装置と、前記１つ以上の第１の装置と接続され、前記１つ以上の第１の装置が制御を実行するレイヤより上位で前記ＲＲＣレイヤを含むレイヤの制御を実行する第２の装置と、を含んだ基地局装置と接続する端末装置であって、前記１つ以上の第１の装置が形成した少なくとも１つのビームのうちのいずれかを接続先として、前記１つ以上の第１の装置のうちのいずれかとの間で信号を送信または受信することができる通信手段とコンピュータとを有する前記端末装置において、
前記コンピュータに、
前記１つ以上の第１の装置のうちのいずれかである制御装置から、前記端末装置による測定対象のビームの情報を受信するように前記通信手段を制御させ、
前記通信手段を介して、前記測定対象のビームのそれぞれを測定させ、
前記少なくとも１つのビームのうちの第１のビームによって前記制御装置と接続が確立されている間に、前記測定対象のビームに関する測定結果に基づいて、前記端末装置が接続すべきビームの前記第１のビームからの切り替え先である第２のビームを選択させ、
前記制御装置の制御によらずに前記第２のビームに対する接続を確立するように前記通信手段を制御させる、
ためのプログラムであって、
前記測定対象のビームは、１つの前記第２の装置に接続されている前記１つ以上の第１の装置によって形成されるビームに含まれる、
ことを特徴とするプログラム。
【発明の詳細な説明】
【技術分野】
【０００１】
本発明は、無線通信におけるハンドオーバ技術に関する。
【背景技術】
【０００２】
第３世代パートナーシッププロジェクトにおいて、第５世代（以下、「５Ｇ」と呼ぶ。）の新しい無線アクセス技術が検討されている（非特許文献１参照）。５Ｇシステムでは、ＮＲ  ｇＮＢとも称される基地局装置が、Ｃｅｎｔｒａｌ  Ｕｎｉｔ（ＣＵ）及びＤｉｓｔｒｉｂｕｔｅｄ  Ｕｎｉｔ（ＤＵ）と呼ばれる複数の装置を含んで構成されることが想定されている。なお、ＤＵは、Ｔｒａｎｓｍｉｓｓｉｏｎ  Ｒｅｃｅｉｖｅｒ  Ｐｏｉｎｔ（ＴＲＰ）とも呼ばれる。ここで、ＤＵは、無線リソース制御（ＲＲＣ）レイヤより下位で少なくとも物理（ＰＨＹ）レイヤを含むレイヤの処理を行い、ＣＵは、ＤＵが制御を行うレイヤより上位でＲＲＣレイヤを含むレイヤの処理を行うことが想定されている。また、１つのＣＵには、複数のＤＵが接続されることが想定されている。さらに、１つのＤＵは、例えばビームフォーミングによって１つ以上のビームを形成して、そのビームの少なくともいずれかを用いて端末装置との接続を確立する。すなわち、基地局装置は、少なくとも１つのＣＵと、そのＣＵに接続された複数のＤＵとを含んで構成され、各ＤＵが１つ以上のビームを形成することによって、複数のビームを形成して、その複数のビームの少なくともいずれかで端末装置と接続する。
【０００３】
５Ｇシステムでは、従来使用されていた周波数帯より高い周波数帯の電波が使用可能とされるが、そのような高い周波数帯の電波は、遮蔽物等の影響を強く受けるため、基地局装置と端末装置との間の電波状態が急峻に劣化してしまいうる。このような場合、ハンドオーバによって、端末装置の接続先のビームを、基地局装置が形成している別のビームに切り替えることができる。従来、ハンドオーバはＲＲＣレイヤのシグナリングを通じて実行される。
【先行技術文献】
【非特許文献】
【０００４】
【非特許文献１】３ＧＰＰ寄書、Ｒ２−１６４３０６、２０１６年５月
【発明の概要】
【発明が解決しようとする課題】
【０００５】
１つのＣＵの配下には多数のＤＵが接続されると共に各ＤＵが複数のビームを形成する場合、１つのＣＵの配下において非常に多数のビームが形成されることとなりうる。このとき、従来のハンドオーバ手順が実行される場合、多数のビーム間で頻繁に実行されるハンドオーバによってＲＲＣレイヤの処理を実行するＣＵの処理負荷が非常に高まってしまい、また、ＣＵとＤＵとの間でのシグナリング量も非常に多くなってしまいうる。
【０００６】
本発明は上記課題に鑑みてなされたものであり、無線通信システムにおいてＲＲＣレイヤの処理を実行する装置の負担を低減可能なハンドオーバ手順を提供することを目的とする。
【課題を解決するための手段】
【０００７】
上記目的を達成するため、本発明の一態様に係る制御装置は、無線リソース制御（ＲＲＣ）レイヤより下位で媒体アクセス制御（ＭＡＣ）レイヤを含むレイヤの制御を実行する１つ以上の第１の装置と、前記１つ以上の第１の装置と接続され、前記１つ以上の第１の装置が制御を実行するレイヤより上位で前記ＲＲＣレイヤを含むレイヤの制御を実行する第２の装置と、を含んだ基地局装置における、前記１つ以上の第１の装置のうちのいずれかである制御装置であって、制御手段と、少なくとも１つのビームを形成可能なアンテナを用いて端末装置との間で信号を送信または受信することができる通信手段と、を有し、前記制御手段は、前記通信手段に、前記端末装置による測定対象のビームの情報を当該端末装置に対して通知させ、前記通信手段に、前記少なくとも１つのビームのうちの第１のビームによって前記端末装置と接続が確立されている間に、前記測定対象のビームに関する測定報告を前記端末装置から受信させ、前記測定報告に基づいて、前記端末装置が接続すべきビームの前記第１のビームからの切り替え先である第２のビームを、前記測定対象のビームから選択し、前記通信手段に、前記第２のビームの情報を前記端末装置へ通知させる、ように制御を実行し、前記測定対象のビームは、１つの前記第２の装置に接続されている前記１つ以上の第１の装置によって形成されるビームに含まれ、前記制御手段は、少なくとも、前記測定報告の受信と、前記第２のビームの選択と、前記第２のビームの情報の通知と、に関する制御を、前記第２の装置を介さずに実行する、ことを特徴とする。
【０００８】
また、上記目的を達成するため、本発明の別の一態様に係る制御装置は、無線リソース制御（ＲＲＣ）レイヤより下位で媒体アクセス制御（ＭＡＣ）レイヤを含むレイヤの制御を実行する１つ以上の第１の装置と、前記１つ以上の第１の装置と接続され、前記１つ以上の第１の装置が制御を実行するレイヤより上位で前記ＲＲＣレイヤを含むレイヤの制御を実行する第２の装置と、を含んだ基地局装置における、前記１つ以上の第１の装置のうちのいずれかである制御装置であって、制御手段と、少なくとも１つのビームを形成可能なアンテナを用いて端末装置との間で信号を送信または受信することができる通信手段と、を有し、前記制御手段は、前記通信手段に、前記端末装置による測定対象のビームの情報を当該端末装置に対して通知させ、前記通信手段に、前記少なくとも１つのビームのうちの第１のビームによって前記端末装置と接続が確立されている間に、当該端末装置が接続すべきビームの前記第１のビームからの切り替え先である第２のビームの前記端末装置による選択結果の通知を、前記端末装置から受信させ、前記端末装置が接続するビームの前記第１のビームから前記第２のビームへの切り替えを承認するかを判定し、前記通信手段に、前記判定の結果を前記端末装置へ通知させる、ように制御を実行し、前記測定対象のビームは、１つの前記第２の装置に接続されている前記１つ以上の第１の装置によって形成されるビームに含まれ、前記制御手段は、少なくとも、前記選択結果の通知の受信と、前記第２のビームへの切り替えを承認するかの判定と、前記判定の結果の通知と、に関する制御を前記第２の装置を介さずに実行する、ことを特徴とする。
【０００９】
また、上記目的を達成するため、本発明の一態様に係る端末装置は、無線リソース制御（ＲＲＣ）レイヤより下位で媒体アクセス制御（ＭＡＣ）レイヤを含むレイヤの制御を実行する１つ以上の第１の装置と、前記１つ以上の第１の装置と接続され、前記１つ以上の第１の装置が制御を実行するレイヤより上位で前記ＲＲＣレイヤを含むレイヤの制御を実行する第２の装置と、を含んだ基地局装置と接続する端末装置であって、制御手段と、前記１つ以上の第１の装置が形成した少なくとも１つのビームのうちのいずれかを接続先として、前記１つ以上の第１の装置のうちのいずれかとの間で信号を送信または受信することができる通信手段と、を有し、前記制御手段は、前記通信手段に、前記端末装置による測定対象のビームの情報を前記１つ以上の第１の装置のうちのいずれかである制御装置から受信させ、前記通信手段を介して、前記測定対象のビームのそれぞれを測定し、前記通信手段に、前記少なくとも１つのビームのうちの第１のビームによって前記制御装置と接続が確立されている間に、前記測定対象のビームに関する測定報告を前記制御装置へ送信させ、前記通信手段に、前記端末装置が接続すべきビームの前記第１のビームからの切り替え先である第２のビームの情報を、前記制御装置から受信させ、前記通信手段に、接続先のビームを前記第２のビームに切り替えさせる、ように制御を実行し、前記測定対象のビームは、１つの前記第２の装置に接続されている前記１つ以上の第１の装置によって形成されるビームに含まれ、前記制御装置は、前記測定報告に基づく前記端末装置が接続するビームの切り替えに関する制御を前記第２の装置を介さずに実行する、ことを特徴とする。
【００１０】
また、上記目的を達成するため、本発明の別の一態様に係る端末装置は、無線リソース制御（ＲＲＣ）レイヤより下位で媒体アクセス制御（ＭＡＣ）レイヤを含むレイヤの制御を実行する１つ以上の第１の装置と、前記１つ以上の第１の装置と接続され、前記１つ以上の第１の装置が制御を実行するレイヤより上位で前記ＲＲＣレイヤを含むレイヤの制御を実行する第２の装置と、を含んだ基地局装置と接続する端末装置であって、制御手段と、前記１つ以上の第１の装置が形成した少なくとも１つのビームのうちのいずれかを接続先として、前記１つ以上の第１の装置のうちのいずれかとの間で信号を送信または受信することができる通信手段と、を有し、前記制御手段は、前記通信手段に、前記端末装置による測定対象のビームの情報を前記１つ以上の第１の装置のうちのいずれかである制御装置から受信させ、前記通信手段を介して、前記測定対象のビームのそれぞれを測定し、前記少なくとも１つのビームのうちの第１のビームによって前記制御装置と接続が確立されている間に、前記測定対象のビームに関する測定結果に基づいて、前記端末装置が接続すべきビームの前記第１のビームからの切り替え先である第２のビームを選択し、前記通信手段に、前記選択の結果を前記制御装置へ通知させ、前記通信手段に、前記選択の結果の通知を前記制御装置が承認したか否かを示す情報を受信させ、前記通信手段に、前記選択の結果の通知を前記制御装置が承認した場合に、接続先のビームを前記第１のビームから前記第２のビームへと切り替えさせる、ように制御を実行し、前記測定対象のビームは、１つの前記第２の装置に接続されている前記１つ以上の第１の装置によって形成されるビームに含まれ、前記制御装置は、前記選択の結果に基づく前記端末装置が接続するビームの切り替えに関する制御を前記第２の装置を介さずに実行する、ことを特徴とする。
【００１１】
また、上記目的を達成するため、本発明のさらに別の一態様に係る端末装置は、無線リソース制御（ＲＲＣ）レイヤより下位で媒体アクセス制御（ＭＡＣ）レイヤを含むレイヤの制御を実行する１つ以上の第１の装置と、前記１つ以上の第１の装置と接続され、前記１つ以上の第１の装置が制御を実行するレイヤより上位で前記ＲＲＣレイヤを含むレイヤの制御を実行する第２の装置と、を含んだ基地局装置と接続する端末装置であって、制御手段と、前記１つ以上の第１の装置が形成した少なくとも１つのビームのうちのいずれかを接続先として、前記１つ以上の第１の装置のうちのいずれかとの間で信号を送信または受信することができる通信手段と、を有し、前記制御手段は、前記通信手段に、前記端末装置による測定対象のビームの情報を前記１つ以上の第１の装置のうちのいずれかである制御装置から受信させ、前記通信手段を介して、前記測定対象のビームのそれぞれを測定し、前記少なくとも１つのビームのうちの第１のビームによって前記制御装置と接続が確立されている間に、前記測定対象のビームに関する測定結果に基づいて、前記端末装置が接続すべきビームの前記第１のビームからの切り替え先である第２のビームを選択し、前記通信手段に、前記制御装置の制御によらずに前記第２のビームに対する接続を確立させる、ように制御を実行し、前記測定対象のビームは、１つの前記第２の装置に接続されている前記１つ以上の第１の装置によって形成されるビームに含まれる、ことを特徴とする。
【発明の効果】
【００１２】
本発明によれば、無線通信システムのハンドオーバ手順において、ＲＲＣレイヤの処理を実行する装置の負担を低減することができる。
【図面の簡単な説明】
【００１３】
【図１】無線通信システムの構成例を示す図。
【図２】ＤＵ及び端末装置のハードウェア構成例を示す図。
【図３】ＤＵの機能構成例を示す図。
【図４】端末装置の機能構成例を示す図。
【図５】測定対象ビームの情報の通知手順の流れの例を示す図。
【図６】接続先ビームの切り替え手順の流れの第１の例を示す図。
【図７】接続先ビームの切り替え手順の流れの第２の例を示す図。
【図８】接続先ビームの切り替え手順の流れの第３の例を示す図。
【発明を実施するための形態】
【００１４】
以下、図面を参照しながら本発明の実施の形態について説明する。
【００１５】
（無線通信システムの構成）
図１に、本実施形態に係る無線通信システムの構成例を示す。本実施形態に係る無線通信システムは、例えば第５世代（５Ｇ）の移動無線通信システムであり、基地局装置（ＮＲ  ｇＮＢ）と、端末装置とを含んで構成される。基地局装置と端末装置との間では、無線接続が確立されて、無線信号が送信又は受信される。基地局装置は、コアネットワークと例えば有線接続され（場合によっては無線区間を含む回線によって接続され）、コアネットワークを介して、他の基地局装置（不図示）に接続する。なお、コアネットワークは、例えばゲートウェイを介して、インターネット等の外部ネットワークへと接続しており、基地局装置は、コアネットワークを介して外部ネットワークへと接続可能である。
【００１６】
本実施形態の基地局装置は、内部に、通信における下位レイヤの制御を実行する第１の部分（第１の制御装置）と、上位レイヤの制御を実行する部分（第２の制御装置）とを含んで構成される。図１では、第１の制御装置をＤＵ（Ｄｉｓｔｒｉｂｕｔｅｄ  Ｕｎｉｔ）／ＴＲＰ（Ｔｒａｎｓｍｉｓｓｉｏｎ  Ｒｅｃｅｉｖｅｒ  Ｐｏｉｎｔ）によって示し、第２の制御装置をＣＵ（Ｃｅｎｔｒａｌ  Ｕｎｉｔ）によって示している。なお、以下では、第１の制御装置をＤＵと呼び、第２の制御装置をＣＵと呼ぶ。ここで、本実施形態のＤＵは、少なくとも物理（ＰＨＹ）レイヤと媒体アクセス制御（ＭＡＣ）レイヤとの制御を実行し、一方で、少なくとも無線リソース制御（ＲＲＣ）レイヤの制御については実行しないように構成される。一方、ＣＵは、ＤＵより上位でＲＲＣレイヤを含むレイヤの制御を実行するように構成される。ＣＵには、１つのＤＵが接続されてもよいが、図１に示すように複数のＤＵが接続される。なお、ＣＵとＤＵとを接続する回線は、フロントホール回線と呼ばれる。ＣＵとＤＵは、図１のように直接接続されてもよいし、複数のＤＵと接続されたスイッチ（不図示）が、ＣＵと接続され、ＣＵと各ＤＵとの通信がスイッチによる制御に基づいて行われてもよい。なお、スイッチが用いられる場合、ＤＵ間の通信を、ＣＵを介さずに実行することができる。
【００１７】
ＤＵは、ビームフォーミングによって、複数のビームを形成することが可能である。図１に示すように、多数のＤＵが複数のビームを形成することによって、基地局装置が形成可能なビーム数が多くなり、結果として多くのユーザを収容し、トータルのスループットを増大させることができる。ここで、５Ｇシステムでは、ＬＴＥ（ロングタームエボリューション）等の従来システムと比して高い周波数が利用されることが想定される。このため、複数のビームのうちの１つにおいて端末装置と基地局装置とが接続していても、その無線環境が急激に変動し、接続を維持することができなくなりうる。このため、端末装置は、複数のビームのうちの第１のビームに接続中に、そのビームの品質が劣化したこと等に応じて、例えば複数のビームのうちの第２のビームを用いて接続を確立するための、ハンドオーバ処理を実行する。
【００１８】
従来、ハンドオーバ処理は、ＲＲＣシグナリングを通じて行われる。このようなハンドオーバ処理を図１のシステムに適用すると、ＣＵが多数の端末装置のためのハンドオーバ処理を実行するため、ＣＵの処理負荷が過大となり、また、ＣＵとＤＵとの間のフロントホール回線の負荷が非常に高まってしまう。このため、本実施形態では、ＣＵによる処理を介さずに、１つ以上のＤＵが形成するビーム間のハンドオーバ処理を完結させるための仕組みを設ける。そして、この仕組みにより、例えば２つのＣＵにまたがるハンドオーバを除いて、ＣＵにハンドオーバ処理に関連させないことによって、ＣＵの負荷やフロントホール回線の負荷を低減することを可能とする。
【００１９】
例えば、ＤＵは、自身が接続しているＣＵに属する複数のＤＵによって形成可能なビームのうち、そのＤＵ自身が形成しているビームに接続中の端末装置が測定すべき、測定対象のビームの情報を、その端末装置に通知する。このとき、ＤＵは、自身が形成可能なビームについての情報のみ、測定対象として端末装置に通知してもよい。すなわち、測定対象のビームは、その測定対象のビームの情報を送信するＤＵによって形成可能なビーム群に含まれる（少なくとも一部である）ものとして特定されうる。また、ＤＵは、端末装置が接続中のビームを含むビームのグループを、測定対象として端末装置に通知してもよい。すなわち、測定対象のビームは、その測定対象のビームの情報を送信するＤＵが形成可能なビーム群の少なくとも一部を含むと共に、他のＤＵが形成可能な少なくとも１つのビームを含んでもよい。測定対象のビームまたはビームのグループは、例えば端末装置の位置に応じて動的に変更されうる。なお、測定対象のビームの情報は、例えばビームＩＤによって特定され、端末装置は、ビームＩＤによって例えば参照信号が送信される周波数領域及び時間領域の位置を特定することができる。この場合、端末装置は、ビームＩＤから特定される周波数領域及び時間領域の位置において参照信号を観測することにより、測定対象のビームのそれぞれにおける無線品質を測定することができる。なお、測定対象のビームの情報は、例えばビームの方向を特定可能なビーム設定の情報を含んでもよく、この場合、端末装置は、自身の位置と、ＤＵの位置と、通知された情報に基づくビームの方向から、どのビームを測定しているかを判別することができる。これによれば、例えば、複数のビームが同じビームＩＤや同じ参照信号の構成を有する場合であっても、端末装置は、どのビームを測定しているかを判別することができる。
【００２０】
このとき、ＤＵは、端末装置ごとに又はＤＵ配下の端末装置の全体に対して一斉に、ＣＵの制御を介さずに測定対象のビームの情報を送信しうる。このとき、ＤＵは、端末装置から、現在接続中のビームに関して無線品質が閾値を下回った等の、リンクの状態を示す所定の信号を受信したことに応じて、測定対象のビームの情報を送信してもよい。なお、ＤＵは、例えばＣＵの制御下でのブロードキャスト信号（例えばＭａｓｔｅｒ  Ｉｎｆｏｒｍａｔｉｏｎ  ＢｌｏｃｋまたはＳｙｓｔｅｍ  Ｉｎｆｏｒｍａｔｉｏｎ  Ｂｌｏｃｋ）によって、測定対象のビームの情報を送信してもよい。
【００２１】
端末装置は、通知された測定対象のビームで送信される無線信号の品質を測定する。この測定は、例えば参照信号に基づいて行われ、無線品質は、例えばＲＳＲＰ（参照信号受信電力）、ＲＳＲＱ（参照信号受信品質）等でありうる。例えば、端末装置は、測定対象のビームの情報として、ビームＩＤを受信し、そのビームＩＤに基づいて参照信号が送信される時間領域及び周波数領域のリソースを特定して、そのリソースにおいて参照信号を観測して、無線品質を特定する。また、端末装置は、自身の位置に応じて、測定対象のビームのうちのいずれを測定しているかを大まかに特定し、その特定したビームについての無線品質の測定を実行しうる。
【００２２】
端末装置は、測定対象のビームの無線品質の測定報告を接続中のＤＵへと送信しうる。ＤＵは、測定報告を受信すると、測定対象としていたビームの中から、端末装置が接続すべきビームの切り替え先を選択する。例えば、ＤＵは、測定報告から、その時点で最も無線品質が良好なビームを特定し、そのビームを端末装置が接続すべきビームの切り替え先として選択する。なお、ＤＵは、例えば端末装置の移動履歴等から、無線品質が良好なだけでなく、一定以上の無線品質を継続的に確保できると予想される領域にエリアを形成するビームを、切り替え先のビームとして選択してもよい。また、ＤＵは、さらに他の方法によってこの選択を行ってもよい。ＤＵは、選択の結果を、端末装置へと通知する。端末装置は、通知された選択の結果に応じて、指定された切り替え先のビームへと、接続先のビームを切り替える。本処理では、少なくとも測定対象のビームの情報の通知を除く他の処理は、ＣＵによる制御を介さずに実行される。すなわち、例えば端末装置と基地局装置の間で行われるビーム間ハンドオーバに関するシグナリングは、例えばＭＡＣレイヤで行い、ＣＵが実行するＲＲＣレイヤでの制御を必要としないようにして実行される。これにより、ＣＵがビーム間ハンドオーバに関与する機会が大幅に減少し、結果としてフロントホール回線の負荷及びＣＵの処理負荷を大幅に減らすことができる。なお、２つのＣＵに跨ってハンドオーバが実行される場合には、ＲＲＣシグナリングを用いてそのハンドオーバに係る制御が実行されうる。
【００２３】
また、端末装置は、測定対象のビームの無線品質に基づいて、自ら、測定対象のビームの中から、自身が接続すべきビームの切り替え先を選択してもよい。例えば、端末装置は、測定報告から、その時点で最も無線品質が良好なビームを特定し、そのビームを自身が接続すべきビームの切り替え先として選択する。なお、端末装置は、上述のＤＵが選択を行う場合と同様に、他の方法で切り替え先のビームの選択を行ってもよい。端末装置は、その後、切り替え先のビームの選択結果をＤＵへと通知する。ＤＵは、その選択結果によって指定された切り替え先のビームへの端末装置による接続の切り替えを承認するか否かを判定し、その判定結果を端末装置へ通知する。例えば、ＤＵは、端末装置による選択結果で指定されたビームに接続している他の端末装置が存在する場合に、端末装置による接続先のビームの切り替えを承認せず、他の端末装置が存在しない場合には端末装置による接続先のビームの切り替えを承認しうる。なお、ＤＵは、他の基準に従って、ビームの切り替えの承認可否を判定してもよい。本処理でも、少なくとも測定対象のビームの情報の通知を除く他の処理は、ＣＵによる制御を介さずに実行される。すなわち、例えば端末装置と基地局装置の間で行われるビーム間ハンドオーバに関するシグナリングは、例えばＭＡＣレイヤで行い、ＣＵが実行するＲＲＣレイヤでの制御を必要としないようにして実行される。これにより、ＣＵがビーム間ハンドオーバに関与する機会が大幅に減少し、結果としてフロントホール回線の負荷及びＣＵの処理負荷を大幅に減らすことができる。
【００２４】
また、端末装置は、測定対象のビームの無線品質に基づいて、自ら、測定対象のビームの中から、自身が接続すべきビームの切り替え先を選択し、その選択結果に基づいて、自律的に切り替え先のビームへの接続切り替え処理を実行してもよい。例えば、端末装置は、選択された切り替え先のビームに対して、ランダムアクセスプリアンブルを送信する等によってランダムアクセスでの接続を試行し、その接続の確立によって、ハンドオーバを実行してもよい。この場合、ビーム間のハンドオーバに関してＤＵが特段の制御を実行する必要がなくなるため、必然的にＣＵについても特段の制御を実行する必要がなくなる。したがって、フロントホール回線の負荷及びＣＵの処理負荷を大幅に減らすことができる。
【００２５】
以下では、このような処理を行うＤＵ及び端末装置の構成と、処理の流れについて説明する。
【００２６】
（ハードウェア構成）
図２に、ＤＵ及び端末装置のハードウェア構成例を示す。ＤＵ及び端末装置は、一例において、図２に示すようなハードウェア構成を有し、例えば、ＣＰＵ２０１、ＲＯＭ２０２、ＲＡＭ２０３、外部記憶装置２０４、及び通信回路２０５を有する。ＤＵ及び端末装置では、例えばＲＯＭ２０２、ＲＡＭ２０３及び外部記憶装置２０４のいずれかに記録された、上述のようなＤＵ及び端末装置の各機能を実現するプログラムがＣＰＵ２０１により実行される。
【００２７】
そして、ＤＵ及び端末装置は、例えばＣＰＵ２０１により通信回路２０５を制御して、他の装置と通信を行う。なお、ＤＵの通信回路２０５は、例えば、フロントホール回線を通じて、ＣＵと通信を行うことができ、また、ＣＵとＤＵとの間に配置されたスイッチを介してＣＵを介さずに、又はＣＵを介して、他のＤＵとも通信を行うことができる。また、ＤＵの通信回路２０５は、１つ以上（複数）のビームを形成して端末装置との間で無線通信することもできる。また、端末装置の通信回路２０５は、ＤＵの通信回路２０５によって形成されたビームのうちの少なくともいずれかと接続可能に構成され、これらのビームを用いてＤＵと無線通信することができるように構成される。なお、図２の構成において、ＤＵ及び端末装置は、１つの通信回路２０５を有するような概略図を示しているが、これに限られず、複数の通信回路を有してもよい。例えば、ＤＵは、フロントホール回線（上述のスイッチとの間の回線）による通信のための第１の通信回路と、無線通信のための第２の通信回路とを有する。また、端末装置は、例えば第４世代以前の世代の無線通信規格に従う第１の通信回路と、第５世代の無線通信規格に従う第２の通信回路とを有してもよい。また、端末装置は、例えば無線ＬＡＮ等のセルラ以外の規格に関する無線通信回路を有してもよいし、さらに、例えばＵＳＢ接続等による有線接続時に用いられる有線通信回路を有してもよい。
【００２８】
なお、ＤＵ及び端末装置は、各機能を実行する専用のハードウェアを備えてもよいし、一部をハードウェアで実行し、プログラムを動作させるコンピュータでその他の部分を実行してもよい。また、全機能がコンピュータとプログラムにより実行されてもよい。
【００２９】
（機能構成）
まず、図３を用いてＤＵの機能構成例について説明する。ＤＵは、一例において、無線通信インタフェース３０１、フロントホールインタフェース３０２、及び制御部３０３を含んで構成される。なお、制御部３０３は、例えば測定対象ビーム通知部３０４を含む。また、制御部３０３は、例えば測定結果取得部３０５及び切り替え先選択部３０６を含みうる。なお、制御部３０３は、測定結果取得部３０５及び切り替え先選択部３０６の代わりに、又はこれらに追加して、選択結果取得部３０７及び承認判定部３０８を含みうる。なお、ＤＵは、これらのほかの、例えば媒体アクセス制御（ＭＡＣ）レイヤの制御を実行するための機能部を有しうるが、ここでは説明を簡単にするため、これらの機能については図示していない。
【００３０】
無線通信インタフェース３０１は、不図示のアンテナを制御して１つ以上のビームを形成可能であり、それらのビームのうちの少なくとも１つを用いて端末装置と接続可能なように構成される。なお、無線通信インタフェース３０１は、例えば１つのビームには１つの端末装置が接続されるように制御を行いうる。無線通信インタフェース３０１は、例えば、送信対象のデータや、制御部３０３によって生成されたデータからベースバンド信号を生成して、そのベースバンド信号を無線周波数の信号に変換して無線信号としてアンテナから出力することができる。また、無線通信インタフェース３０１は、アンテナを介して受信した無線信号をベースバンド信号に変換して、そのベースバンド信号から情報を取り出すことができる。
【００３１】
フロントホールインタフェース３０２は、フロントホール回線に接続するための有線通信インタフェースでありうる。なお、フロントホールインタフェース３０２は、例えばスイッチを介してＣＵに接続することができるが、そのスイッチを介してＣＵを介さずに、他のＤＵと接続することが可能なように構成されてもよい。フロントホールインタフェース３０２は、ＣＵ又は他のＤＵへ送信すべきデータを、そのＣＵ又は他のＤＵが解釈可能な形式の信号を用いて送信することができ、また、ＣＵ又は他のＤＵから受信した信号からデータを抽出することができる。
【００３２】
制御部３０３は、例えば無線通信インタフェース３０１及びフロントホールインタフェース３０２と接続され、これらのインタフェースを制御可能なように構成される。また、制御部３０３は、端末装置との接続に関するビーム間ハンドオーバに関する処理の少なくとも一部を、ＣＵの制御によらずに実行することができるように構成される。
【００３３】
測定対象ビーム通知部３０４は、ＤＵ自身が形成しているビームのうちのいずれかを用いてＤＵと接続中の端末装置が測定すべき、測定対象のビームを特定する。例えば、第１のＤＵが形成している複数のビームのうちの第１のビームに端末装置が接続中の場合、その第１のＤＵは、その第１のビームによる通信が可能となるエリアに隣接するエリアにおいて利用可能と考えられるビームを測定対象のビームとして特定する。なお、測定対象のビームは、その第１のＤＵが形成可能なビームの一部であってもよいし、第１のＤＵと異なる第２のＤＵが形成可能なビームの少なくとも一部が含まれていてもよい。また、測定対象ビーム通知部３０４は、例えば、端末装置の位置、ＤＵ自身の位置、及びＤＵ自身又は他のＤＵが形成可能なビームの方向から、端末装置が測定すべきビームを決定してもよい。測定対象ビーム通知部３０４は、決定した測定対象のビームの情報を、無線通信インタフェース３０１を介して、無線信号によって端末装置へと送信する。なお、測定対象ビーム通知部３０４は、例えば、接続中の端末装置から、現在接続中のビームにおける無線品質が所定レベルを下回った等の所定の報告を受信したことに応じて、この測定対象のビームの情報の通知を実行しうる。なお、測定対象ビーム通知部３０４は、このような所定の報告を受信しない場合であっても、例えば周期的に、測定対象のビームの情報を接続中の端末装置へ通知してもよい。
【００３４】
なお、測定対象ビーム通知部３０４は、例えばＤＵ自身が接続中のＣＵから、そのＣＵ配下のＤＵに接続中の端末装置が測定すべき測定対象のビームの情報を取得してもよい。なお、ＣＵは、配下のＤＵのそれぞれに対して別個の情報を通知してもよいし、全ＤＵに同一の情報を通知してもよい。測定対象ビーム通知部３０４は、ＣＵから情報を取得した場合、その内容には改変を加えずに、端末装置へ測定対象のビームの情報として取得した情報を送信しうる。なお、測定対象ビーム通知部３０４は、例えば、ブロードキャスト信号によって、測定対象のビームの情報を通知してもよいし、個別のシグナリングによって測定対象のビームの情報を通知してもよい。また、測定対象ビーム通知部３０４は、端末装置とＤＵとの間の接続が確立される前にこのような測定対象のビームの情報の通知を実行してもよいし、接続の確立後にこのような通知を行ってもよい。なお、測定対象のビームの情報は、例えば各ビームを識別可能なビームＩＤや、ビームがどの方向に向けられたものかを特定可能な情報等、端末装置が測定対象のビームを特定することを可能とする任意の情報でありうる。
【００３５】
測定結果取得部３０５は、測定対象のビームに関して、端末装置が実行した測定の結果を、無線通信インタフェース３０１を介して取得する。測定結果は、例えば、参照信号受信電力（ＲＳＲＰ）、参照信号受信品質（ＲＳＲＱ）、信号対雑音電力比（ＳＮＲ）、信号対雑音及び干渉電力比（ＳＩＮＲ）、受信信号強度インジケータ（ＲＳＳＩ）等の、無線リンクの品質を表すいずれかの情報でありうる。なお、これらの測定結果は、例えばインデックスによって表されてもよい。例えば無線品質を複数の段階に分類し、それらの分類をそれぞれ数ビットで表現するようにし、その数ビットの情報で無線品質がどの程度のレベルであるかが示されるようにしてもよい。切り替え先選択部３０６は、測定結果取得部３０５が取得した測定結果の情報に基づいて、端末装置が接続すべきビームの切り替え先のビームを選択する。切り替え先選択部３０６は、例えば、測定結果によって示される無線品質が最も良い方から１つ以上のビームを切り替え先のビームとして選択してもよいし、無線品質が所定レベル以上のビームの中から１つ以上を、切り替え先のビームとして選択してもよい。切り替え先選択部３０６は、例えば、無線品質が所定レベル以上のビームのうち、そのビームに接続している端末装置が存在しないビームを、切り替え先のビームとして選択しうる。なお、切り替え先選択部３０６は、現在接続中のビームを切り替えないこと、例えば、現在接続中のビームを切り替え先のビームとして選択してもよい。例えば、切り替え先選択部３０６は、無線品質が所定レベル以上のビームが存在しない場合、又は、無線品質が所定レベル以上のビームのいずれにも他の端末装置が接続中である場合等に、現在接続中のビームを切り替えないことを選択しうる。切り替え先選択部３０６は、選択結果を、無線品質の測定結果の通知元の端末装置に対して送信する。この選択結果の通知は、例えば、ビームＩＤ等の、端末装置が接続先のビームを一意に特定可能な情報によって行われる。
【００３６】
選択結果取得部３０７は、端末装置から無線品質の測定結果ではなく、その無線品質に基づいて端末装置が自ら選択した接続の切り替え先のビームの情報が送信される場合に、無線通信インタフェース３０１を介してその情報を取得する。なお、切り替え先のビームの情報は、例えば、ＤＵが、一意に切り替え先のビームを特定可能な任意の情報である。なお、この場合、端末装置は、まだその切り替え先のビームには切り替えておらず、切り替え先のビームの情報は、切り替え先のビームの候補を示す情報となる。承認判定部３０８は、選択結果取得部３０７によって取得された情報が示す切り替え先のビームに、実際に端末装置が切り替えることを承認するか否かを判定する。例えば、承認判定部３０８は、切り替え先として指定されたビームに、他の端末装置が接続中の場合等、所定の基準に従って接続の切り替えをすべきでない場合には、切り替えを拒否する。また、切り替え先のビームの情報は、例えば無線品質の情報をさらに含んでもよく、承認判定部３０８は、無線品質が所定レベルに達していない場合には、切り替えを承認しなくてもよい。一方、承認判定部３０８は、例えば拒否する理由がない等の場合には、切り替えを承認しうる。承認判定部３０８は、この判定の結果を、切り替え先の選択結果の送信元の端末装置に対して送信する。
【００３７】
その後、制御部３０３は、端末装置が接続先のビームを切り替える場合には、ビームの切り替え処理を実行する。例えば、制御部３０３は、端末装置が現在接続中のビームからそのビームを形成するＤＵによって形成される他のビームに接続先を切り替える場合、その端末装置あてのデータの送信を行うビームを切り替えるように、無線通信インタフェース３０１を制御する。例えば、制御部３０３は、その端末装置あての信号に対する各送信アンテナに対応する位相のシフト量を変更して、その信号が送出される方向を切り替える。また、その端末装置から送信された信号の各受信アンテナに対応する位相のシフト量を変更して、受信時の利得を高くする方向を切り替える制御を実行する。また、制御部３０３は、現在接続中のビームを形成する第１のＤＵと異なる第２のＤＵが形成したビームに端末装置が接続先を切り替える場合、端末装置との接続を指示するコマンドを第２のＤＵへ送信するようにフロントホールインタフェース３０２を制御する。なお、第１のＤＵと第２のＤＵとが同一のＣＵに接続している場合、第１のＤＵと第２のＤＵとの間の通信は、ＣＵを介して実行されてもよいが、例えばＣＵと第１のＤＵおよび第２のＤＵとの間に配置されたスイッチを介してＣＵを介さずに実行されてもよい。なお、第１のＤＵと第２のＤＵとが異なるＣＵに接続している場合は、制御部３０３は、第２のＤＵが形成するビームへの端末装置の接続先の切り替えが行われることを、自身（第１のＤＵ）が接続している第１のＣＵへと通知する。その通知を受けた第１のＣＵは、第２のＤＵが接続している第２のＣＵへ、第２のＤＵが形成しているビームへの端末装置の接続先のビームの切り替えが行われることを通知し、第２のＣＵは、第２のＤＵへと同様の通知を行う。そして、第２のＤＵは、端末装置との間の接続を確立する。
【００３８】
なお、制御部３０３は、測定結果取得部３０５及び切り替え先選択部３０６と、選択結果取得部３０７及び承認判定部３０８とのいずれかを含むように構成されるがこれに限られない。例えば、測定結果のみを報告することができる設定となっている端末装置と、選択結果のみを報告することができる設定となっている端末装置が混在する場合等には、制御部３０３は、これらのすべての機能を有していてもよい。また、例えば端末装置が、ランダムアクセス等によって自律的に切り替え先のビームへと接続を試行する場合は、これらの機能のいずれをも有していなくてもよい。制御部３０３は、これらの測定結果取得部３０５及び切り替え先選択部３０６による制御と、選択結果取得部３０７及び承認判定部３０８による制御と、これらの組み合わせの制御と、これらのいずれをも用いない制御と、のいずれかを切り替えながら実行しうる。例えば、制御部３０３は、端末装置が実行可能な処理に応じて、いずれの制御を行うかを決定しうる。なお、制御部３０３は、様々な制御に対応可能な端末装置に対して実行すべき制御を通知するように、無線通信インタフェース３０１を制御しうる。
【００３９】
次に、図４を用いて端末装置の機能構成例について説明する。端末装置は、例えば、無線通信インタフェース４０１及び制御部４０２を含んで構成されうる。制御部４０２は、例えば測定対象ビーム取得部４０３及びビーム測定部４０４、及び切り替え制御部４０５を含む。また、制御部４０２は、例えば切り替え先選択部４０６を含んでもよい。なお、端末装置は、これらのほかの、一般的な通信端末又は通信機能を有する電子機器であり、様々な機能部を有しうるが、ここでは説明を簡単にするため、これらの機能については図示していない。
【００４０】
無線通信インタフェース４０１は、不図示のアンテナを制御して、ＤＵが形成した１つ以上のビームのうちの少なくともいずれかと接続可能なように構成される。無線通信インタフェース４０１は、例えば、送信対象のデータや、制御部４０２によって生成されたデータからベースバンド信号を生成して、そのベースバンド信号を無線周波数の信号に変換して無線信号としてアンテナから出力することができる。また、無線通信インタフェース４０１は、アンテナを介して受信した無線信号をベースバンド信号に変換して、そのベースバンド信号から情報を取り出すことができる。
【００４１】
制御部４０２は、例えば無線通信インタフェース４０１と接続され、無線通信インタフェース４０１を用いた制御を実行可能なように構成される。測定対象ビーム取得部４０３は、端末装置が接続中のＤＵからの個別に送信された信号により、また、周囲に存在するＤＵからそのＤＵが接続しているＣＵの制御下でブロードキャストされた信号により、測定対象のビームに関する情報を取得する。ここで取得される情報は、上述の通り、端末装置が、測定対象のビームを特定可能な情報である。
【００４２】
ビーム測定部４０４は、測定対象ビーム取得部４０３が取得した情報に基づいて特定された測定対象のビームについて、その無線品質を測定する。ここで測定される無線品質は、上述のように、例えば、参照信号受信電力（ＲＳＲＰ）、参照信号受信品質（ＲＳＲＱ）、信号対雑音電力比（ＳＮＲ）、信号対雑音及び干渉電力比（ＳＩＮＲ）、受信信号強度インジケータ（ＲＳＳＩ）等でありうる。一例において、ビーム測定部４０４は、測定結果の情報を、接続中のＤＵに通知するように、無線通信インタフェース４０１を制御する。また、別の例において、ビーム測定部４０４は、測定結果の情報を、ＤＵへ報告せずに、切り替え先選択部４０６へと通知してもよい。切り替え先選択部４０６は、測定結果の情報を取得すると、上述のＤＵの切り替え先選択部３０６と同様の手順で、端末装置が接続すべきビームの切り替え先を選択する。
【００４３】
なお、ビーム測定部４０４は、現在接続中のビームについての無線品質を継続的に測定してもよい。このとき、ビーム測定部４０４は、その無線品質が所定レベルを下回ったなど、所定の状態となった場合に、そのことを報告する所定の報告を接続先のＤＵへと送信するように、無線通信インタフェース４０１を制御してもよい。そして、接続先のＤＵは、上述のように、この所定の報告を受信したことに応じて、測定対象のビームの情報を端末装置へ通知しうる。
【００４４】
切り替え制御部４０５は、例えば、ビーム測定部４０４がＤＵに測定結果の情報を通知するための制御を実行した場合には、ＤＵから切り替え先のビームの情報を取得する。そして、切り替え制御部４０５は、その取得した情報に基づいて、接続先のビームの切り替え制御を実行するように、無線通信インタフェース４０１を制御する。また、ビーム測定部４０４が、測定結果の情報をＤＵへ送信せずに、切り替え先選択部４０６へと入力した場合には、切り替え制御部４０５は、切り替え先選択部４０６の動作に応じた接続先ビームの切り替え制御を実行する。
【００４５】
例えば、切り替え制御部４０５は、切り替え先選択部４０６が選択した切り替え先のビームを特定するビームＩＤをＤＵへと送信するように、無線通信インタフェース４０１を制御する。そして、切り替え制御部４０５は、接続先のビームの切り替えがＤＵによって承認されたか否かの情報を受信し、承認された場合に、切り替え先選択部４０６が選択した切り替え先のビームに接続するように無線通信インタフェース４０１を制御する。
【００４６】
また、切り替え制御部４０５は、切り替え先選択部４０６が選択した切り替え先のビームに対して、例えばランダムアクセス手順によって自律的に接続を試行し、ＤＵの制御によらずに接続先のビームを切り替えてもよい。このとき、切り替え制御部４０５は、例えば、切り替え先選択部４０６が選択したビームを特定するビームＩＤを指定したランダムアクセスチャネルを用いて、その切り替え先のビームへの接続を試行しうる。この場合、ＤＵによる制御によらず、結果としてＣＵの制御にもよらず、接続先のビームを切り替えることができる。
【００４７】
（処理の流れ）
続いて、上述のようなＤＵ及び端末装置が実行する処理の流れについて説明する。まず、図５（Ａ）及び図５（Ｂ）を用いて、測定対象のビームの情報をＤＵから端末装置へ通知する手順の例について説明する。図５（Ａ）は、ブロードキャスト信号を用いて測定対象ビームの情報を端末装置に伝達する手順を示しており、図５（Ｂ）は、個別の信号を用いて測定対象ビームの情報を端末装置に伝達する手順を示している。
【００４８】
図５（Ａ）では、例えばＣＵの制御に基づいて、そのＣＵに接続しているＤＵは、測定対象のビームの情報を含んだブロードキャスト信号を送信する（Ｓ５０１）。ここでのブロードキャスト信号は、例えばＭａｓｔｅｒ  Ｉｎｆｏｒｍａｔｉｏｎ  Ｂｌｏｃｋ（ＭＩＢ）又はＳｙｓｔｅｍ  Ｉｎｆｏｒｍａｔｉｏｎ  Ｂｌｏｃｋ（ＳＩＢ）でありうる。ＣＵは、例えば、ＤＵごとに異なる情報をブロードキャストさせるような指示を送出してもよい。なお、図５（Ａ）の例では、ＣＵが決定した測定対象のビームの情報をＤＵがそのまま端末装置へと送信する場合について示しているが、これに限られない。例えば、ＤＵは、自身が形成する複数のビームに接続している端末装置全体に対して通知する測定対象のビームの情報を決定し、その複数のビームにおいて宛先を指定せずに決定した測定対象のビームの情報を送信するようにしてもよい。すなわち、ＤＵは、ブロードキャスト信号を送信する際に、必ずしもＣＵの制御の下でその信号の送信をしなければならないわけではない。なお、ブロードキャスト信号が送信される時点では、ＤＵと端末装置との間で接続が確立されている必要はなく、その後、必要に応じて接続が確立される（Ｓ５０２）。
【００４９】
図５（Ｂ）では、ＤＵが形成したビームのうちのビームを用いて、ＤＵと端末装置との間での接続が確立されているものとする（Ｓ５１１）。このとき、ＤＵは、測定対象のビームの情報を、個別のシグナリングを通じて端末装置へ通知することができる（Ｓ５１２）。なお、ＤＵは、例えば、端末装置において接続中のビームの品質劣化の検出（Ｓ５１３）に応じて送信される、状態報告のための所定の通知を受信したこと（Ｓ５１４）を契機として、この個別の通知を行ってもよい。これによれば、例えば接続中のビームによる通信の状態が安定しているにも関わらず、不必要に測定対象のビームの情報が端末装置に通知されることを防ぐことができる。
【００５０】
次に、接続先ビームの切り替え処理の流れの第１の例について、図６を用いて説明する。まず、端末装置は、図５（Ａ）又は図５（Ｂ）のようにして通知された測定対象のビームについての無線品質の測定を行う（Ｓ６０１）。なお、端末装置は、例えば、図５（Ｂ）のＳ５１３のように、接続中のビームの品質劣化を検出した場合に、この無線品質の測定を実行するようにしてもよく、品質劣化がない限りは、このような測定対象ビームに関する無線品質の測定を実行しなくてもよい。その後、端末装置は、Ｓ６０１における測定の結果の情報を、接続中のビーム（ここでは、「ビームＡ」とする。）を用いて、そのビームを形成しているＤＵへと通知する（Ｓ６０２）。その後、測定結果の報告を受けたＤＵが、端末装置が接続すべきビームの切り替えを行うか否か、また、切り替えを行う場合にその切り替え先のビームを決定する（Ｓ６０３）。そして、ＤＵは、決定した切り替え先のビーム（ここでは、「ビームＢ」とする。）を指定する情報を、端末装置へと通知する（Ｓ６０４）。その後、端末装置は、通知された情報で指定されたビーム（ビームＢ）へと接続先のビームを切り替える（Ｓ６０５）。なお、ビームＡを形成しているＤＵがビームＢをも形成している場合は、接続先のＤＵ自体は変化しないため、単にビームの切り替えのみで処理は完了する。一方、ビームＡとビームＢとがそれぞれ異なるＤＵによって形成されている場合は、ビームＡを形成している第１のＤＵは、切り替え先ビーム情報の通知（Ｓ６０４）と並行して、ビームＢを形成している第２のＤＵへ、端末装置がビームＢに接続することを通知しうる。なお、第１のＤＵは、切り替え先ビーム情報の通知（Ｓ６０４）の前に、ビームＢへの接続が可能であるかを第２のＤＵへ問い合わせ、その問い合わせの結果に応じて、実際にビームＢへの切り替えを実行させるかを判定してもよい。なお、第１のＤＵと第２のＤＵとの間の通信は、ＣＵを介して行われてもよいが、例えば第１のＤＵ及び第２のＤＵとＣＵとの間に配置されるスイッチを介してＣＵを介さずに、行われてもよい。このような構成により、端末装置の接続すべきビームの切り替えを、ＲＲＣシグナリングを用いずに行うため、ＣＵの負荷及びフロントホール回線の負荷を低減することが可能となる。
【００５１】
続いて、接続先ビームの切り替え処理の流れの第２の例について、図７を用いて説明する。まず、端末装置は、図６のＳ６０１と同様に、測定対象ビームの無線品質の測定を実行する（Ｓ７０１）。そして、端末装置は、その無線品質の測定結果をＤＵへ送信せずに、その測定結果に基づいて、切り替え先のビームを選択し（Ｓ７０２）、そのビームを特定する情報を含んだ信号を、接続中のＤＵへと送信する（Ｓ７０３）。ＤＵは、その信号から、切り替え先のビームが特定された情報を抽出し、その切り替え先のビームに端末装置の接続先を切り替えることを承認するか否かの判定を行う（Ｓ７０４）。そして、ＤＵは、例えば切り替えを承認するメッセージを端末装置へと送信する（Ｓ７０５）。なお、ＤＵは、接続先のビームの切り替えを承認しない場合は、切り替えを拒否するメッセージを端末装置へと送信しうる。端末装置は、切り替えが承認されると、Ｓ７０２で選択したビームへと、接続先を切り替える（Ｓ７０６）。このようにすることで、端末装置から基地局装置へは、接続の切り替え先のビームのことを示す情報が送信されれば足りることとなり、無線品質の情報が送信される場合と比して、送受信される信号の量を低減することができる。また、本例においても、端末装置の接続すべきビームの切り替えを、ＲＲＣシグナリングを用いずに行うため、ＣＵの負荷及びフロントホール回線の負荷を低減することが可能となる。
【００５２】
最後に、接続先ビームの切り替え処理の流れの第３の例について、図８を用いて説明する。まず、端末装置は、図７のＳ７０１及びＳ７０２と同様に、測定対象ビームの無線品質の測定を実行し（Ｓ８０１）、その無線品質の測定結果をＤＵへ送信せずに、その測定結果に基づいて、切り替え先のビームを選択する（Ｓ８０２）。その後、端末装置は、選択結果に応じて、例えば選択された切り替え先のビームを宛先としたランダムアクセスチャネルを用いて、その切り替え先のビームへの接続を試行する（Ｓ８０３）。そして、接続が確立されたことに応じて、端末装置の接続先のビームの切り替えが完了する。これによれば、ＤＵによる承認プロセスが不要となるため、シグナリングの量やＤＵの負荷を大幅に低減することができる。また、本例においても、端末装置の接続すべきビームの切り替えを、ＲＲＣシグナリングを用いずに行うため、ＣＵの負荷及びフロントホール回線の負荷を低減することが可能となる。
【００５３】
以上のように、本実施形態では、端末装置の接続先のビームの切り替えを、ＲＲＣシグナリングを伴わずに実行可能となる。これによれば、ＲＲＣレイヤ以上の処理を実行する第２の部分に、それより下位のレイヤの制御を実行する第１の部分が複数接続される基地局装置の構成において、第２の部分の負荷や、第１の部分と第２の部分との間の回線の負荷を大幅に低減することができる。
【図１】
2018056687.tif 000003
【図２】
2018056687.tif 000004
【図３】
2018056687.tif 000005
【図４】
2018056687.tif 000006
【図５】
2018056687.tif 000007
【図６】
2018056687.tif 000008
【図７】
2018056687.tif 000009
【図８】
2018056687.tif 000010